(57)【特許請求の範囲】
【請求項１】
搬送される原稿の一方の面に第１光源から光を照射すると共に前記原稿の他方の面に第２光源から光を照射することにより前記原稿の前記一方の面及び前記他方の面の両面の画像を読取る両面原稿読取り装置において、
前記原稿の前記一方の面を読取る領域に配置され、且つ前記第１光源を備えて前記原稿の前記一方の面の画像を読取る第１読取り部と、
前記原稿の前記他方の面を読取る領域に配置され、且つ前記第２光源を備えて前記原稿の前記他方の面の画像を読取る第２読取り部とを備え、
前記第１光源と前記第２光源とは別光源で成り、且つ前記第１光源は、光量が前記第２光源の光量よりも大きいものであって、
前記第１読取り部及び前記第２読取り部のうち、原稿搬送方向下流側に位置する読取り部の光源を、原稿搬送方向上流側に位置する読取り部の光源が点灯状態に駆動された後で、且つ原稿搬送方向上流側に位置する読取り部による前記原稿画像の読取りの開始前に点灯状態に駆動すると共に、
前記第１読取り部及び前記第２読取り部のうち、原稿搬送方向下流側に位置する読取り部による前記搬送される原稿の読取りが完了した後、前記第１光源及び第２光源を消灯させることを特徴とする両面原稿読取り装置。
【請求項２】
搬送される原稿の一方の面に第１光源から光を照射すると共に前記原稿の他方の面に第２光源から光を照射することにより前記原稿の前記一方の面及び前記他方の面の両面の画像を読取る両面原稿読取り装置において、
前記原稿の前記一方の面を読取る領域に配置され、且つ前記第１光源を備えて前記原稿の前記一方の面の画像を読取る第１読取り部と、
前記原稿の前記他方の面を読取る領域に配置され、且つ前記第２光源を備えて前記原稿の前記他方の面の画像を読取る第２読取り部と、
搬送される前記原稿を、前記第１読取り部及び前記第２読取り部のうち、原稿搬送方向上流側に位置する読取り部のさらに原稿搬送方向上流側で検知する原稿検知センサとを設け、
前記第１光源と前記第２光源とは別光源で成り、且つ前記第１光源は、光量が前記第２光源の光量よりも大きいものであって、
前記原稿検知センサによって前記原稿を検知した後、前記第１読取り部及び前記第２読取り部のうち、原稿搬送方向上流側に位置する読取り部の光源を点灯させ、その後、この原稿搬送方向上流側に位置する読取り部による前記原稿画像の読取りの開始前に、原稿搬送方向下流側に位置する読取り部の光源を点灯状態に駆動すると共に、
前記第１読取り部及び前記第２読取り部のうち、原稿搬送方向下流側に位置する読取り部による前記搬送される原稿の読取りが完了した後、前記第１光源及び第２光源を消灯させることを特徴とする両面原稿読取り装置。
【請求項３】
請求項１または２記載の両面原稿読取り装置において、
前記第１読取り部は、前記搬送される走行原稿の前記一方の面の画像及び載置された静止原稿の一方の面の画像の読取りを行うものであることを特徴とする両面原稿読取り装置。
【請求項４】
請求項１、２または３記載の両面原稿読取り装置において、
前記第２光源が発光ダイオードで構成されていることを特徴とする両面原稿読取り装置。
【請求項５】
請求項１〜４のうち何れか一つに記載の両面原稿読取り装置を搭載していることを特徴とする画像形成装置。
【発明の詳細な説明】
【技術分野】
【０００１】
本発明は、例えば、スキャナ装置、複写機、プリンタ、ファクシミリ装置等に用いられる両面原稿読取り装置及びその両面原稿読取り装置を搭載した画像形成装置に係る。特に、本発明は、読取りデータの読取り濃度を適切に得るための対策に関する。
【背景技術】
【０００２】
従来より、例えば下記の特許文献１や特許文献２には、原稿搬送路の両側に配置した読取り手段により原稿両面の画像や文字を読取る機能を有した両面原稿読取り装置が開示されている。
【０００３】
詳しくは、特許文献１には、読取り原稿の表面側と裏面側とに、原稿各面に光を照射する光源を有する読取り手段を配設し、表面側の光源及び裏面側の光源の点灯と消灯とを走査ライン単位に交互に切換制御すると共に、原稿の表面及び裏面の読取りを上記光源の点灯と消灯とに連動して交互に切り換えることで光学干渉を回避する技術的思想が開示されている。つまり、一方の読取り手段の光源によって、他方の読取り手段による原稿の読取りデータに対して、裏写りが生じてしまうことを回避している。
【０００４】
一方、特許文献２には、原稿表面を読取る読取り手段の光源から発する照射と原稿裏面を読取る読取り手段の光源から発する照射が、互いに干渉しないように、各読取り手段を対向しない位置に互いにずらし、これによって光学干渉を回避する技術的思想が開示されている。
【特許文献１】特開平９−３２１９４７号公報
【特許文献２】特開平１０−９８５８８号公報
【発明の開示】
【発明が解決しようとする課題】
【０００５】
ところで、上記特許文献１に記載の技術は、走査ライン単位に両光源のうちの一方のみが点灯するように、両光源の点灯及び消灯を制御しているため、光源の消灯と点灯との応答性が非常に高いものでなければならない。その結果、応答性の低い光源を使用することができないといった制約があった。また、単位時間当たりの原稿読取り枚数の増大を図るべく、原稿搬送速度を高くしようとした場合、より一層高い応答性を有する光源が必要になり、コストの高騰を招いてしまう。更に、光源の応答性には限界があるため、原稿読取り速度がこの光源の応答性の制約を受けることになり、原稿読取り速度を高くするには限界があった。
【０００６】
特許文献２に記載の技術は、原稿搬送路の両側に配置した原稿読取り手段の位置を、原稿の搬送方向に変位させることで、特許文献１の課題を回避することが可能である。ところで、この特許文献２に記載の技術では、原稿の一方面の読取りが完了すると、この先行する一方の面を読取った原稿読取り手段の光源を消灯し、上記変位分だけ遅れて他方の面の読取りが完了した後に、この他方の面を読取った原稿読取り手段の光源が消灯するようになっている。そして、装置の小型化を図るべく、両原稿読取り手段を接近させた場合（上記変位を小さくした場合）、一方の原稿読取り手段の光源の光が他方の原稿読取り手段に入射する可能性があり、この際、他方の面側の読取りが完了していないにもかかわらず、先行して読取りが完了した側の光源が消灯することになり、他方の読取りデータの濃度が、この光量の変化の影響を受けてしまう。つまり、光量の変位した所を境に読取り濃度が変わってしまい、正確な原稿読取りデータが得られないといった課題があった。
【０００７】
本発明は、かかる点に鑑みてなされたものであり、その目的とするところは、原稿搬送路の両側に原稿読取り手段を配設して原稿の両面の画像を同時に読取る両面原稿読取り装置に対し、原稿読取りデータの読取り濃度がデータ全体に亘って均一に得られるようにすることにある。
【課題を解決するための手段】
【０００８】
−発明の概要−
上記の目的を達成するために、本発明は、原稿の表裏面の両方の読取り動作が完全に終了するまで、原稿各面に照射している光の光量を不変とし、読取り濃度が変化しないようにしている。
【０００９】
−解決手段−
具体的には、搬送される原稿の一方の面に第１光源から光を照射すると共に前記原稿の他方の面に第２光源から光を照射することにより前記原稿の前記一方の面及び前記他方の面の両面の画像を読取る両面原稿読取り装置を前提とする。この両面原稿読取り装置に対し、前記原稿の前記一方の面を読取る領域に配置され、且つ前記第１光源を備えて前記原稿の前記一方の面の画像を読取る第１読取り部と、前記原稿の前記他方の面を読取る領域に配置され、且つ前記第２光源を備えて前記原稿の前記他方の面の画像を読取る第２読取り部とを備えさせる。また、前記第１光源と前記第２光源とを別光源で成し、且つ前記第１光源を、光量が前記第２光源の光量よりも大きいものとする。そして、前記第１読取り部及び前記第２読取り部のうち、原稿搬送方向下流側に位置する読取り部の光源を、原稿搬送方向上流側に位置する読取り部の光源が点灯状態に駆動された後で、且つ原稿搬送方向上流側に位置する読取り部による前記原稿画像の読取りの開始前に点灯状態に駆動すると共に、前記第１読取り部及び前記第２読取り部のうち、原稿搬送方向下流側に位置する読取り部による前記搬送される原稿の読取りが完了した後、前記第１光源及び第２光源を消灯させる構成としている。
また、他の解決手段として次のものが掲げられる。搬送される原稿の一方の面に第１光源から光を照射すると共に前記原稿の他方の面に第２光源から光を照射することにより前記原稿の前記一方の面及び前記他方の面の両面の画像を読取る両面原稿読取り装置を前提とする。この両面原稿読取り装置に対し、前記原稿の前記一方の面を読取る領域に配置され、且つ前記第１光源を備えて前記原稿の前記一方の面の画像を読取る第１読取り部と、前記原稿の前記他方の面を読取る領域に配置され、且つ前記第２光源を備えて前記原稿の前記他方の面の画像を読取る第２読取り部とを備えさせる。また、搬送される前記原稿を、前記第１読取り部及び前記第２読取り部のうち、原稿搬送方向上流側に位置する読取り部のさらに原稿搬送方向上流側で検知する原稿検知センサを設ける。更に、前記第１光源と前記第２光源とを別光源で成し、且つ前記第１光源を、光量が前記第２光源の光量よりも大きいものとする。そして、前記原稿検知センサによって前記原稿を検知した後、前記第１読取り部及び前記第２読取り部のうち、原稿搬送方向上流側に位置する読取り部の光源を点灯させ、その後、この原稿搬送方向上流側に位置する読取り部による前記原稿画像の読取りの開始前に、原稿搬送方向下流側に位置する読取り部の光源を点灯状態に駆動すると共に、前記第１読取り部及び前記第２読取り部のうち、原稿搬送方向下流側に位置する読取り部による前記搬送される原稿の読取りが完了した後、前記第１光源及び第２光源を消灯させる構成としている。
【００１０】
この特定事項により、原稿搬送路を走行する原稿の表裏面に向けて各光源から光が照射され、例えばその反射光を読取ることにより、各原稿読取部において原稿の表裏面の画像をそれぞれ読取る。そして、本発明では、原稿搬送方向の下流側に位置する読取り部によって原稿の読取りが完了した後に第１光源と第２光源とを消灯させている。このため、読取り動作中に下流側の原稿読取部での受光量に変化が生じることはなく、読取り濃度が変化してしまうといったことは回避される。
【００１１】
上記解決手段に付加するものとして以下の構成が掲げられる。先ず、前記第１読取り部が、前記搬送される走行原稿の前記一方の面の画像及び載置された静止原稿の一方の面の画像の読取りを行うものとする構成である。また、前記第２光源を発光ダイオードとする構成である。
【００１２】
また、上述した各解決手段のうちの何れか一つの両面原稿読取り装置を搭載している画像形成装置も本発明の技術的思想の範疇である。
【発明の効果】
【００１３】
以上のように、本発明では、原稿の表裏面に光源からの光を照射しながら原稿画像の読取りを行う両面原稿読取り装置に対し、原稿の表裏面の両方の読取り動作が共に完全に終了するまで、原稿各面に照射している光の点灯状態を維持している。このため、各原稿読取り部における原稿画像の読取り動作中に受光量が変化して読取り濃度が変化してしまうといったことはなく、読取りデータ全体に亘って原稿読取りデータの読取り濃度の均一化を図ることができ、正確な画像データの取得が可能になって装置の信頼性の向上を図ることができる。また、これにより、画像データの劣化を招くことなしに各光源同士の位置を近接させることが可能であるので、装置全体の小型化を図ることもできる。
【発明を実施するための最良の形態】
【００１４】
以下、本発明の実施の形態を図面に基づいて説明する。本形態では、本発明をスキャナ装置として適用した場合について説明する。
【００１５】
先ず、図１及び図２を用いてスキャナ装置１の概略構成について説明する。図１は、本形態に係るスキャナ装置１の内部構成を示す概略図である。図２は本スキャナ装置１の制御ブロック図である。
【００１６】
図１に示すように、スキャナ装置１は、静止原稿読取り部２、第１走行原稿読取り部３及び第２走行原稿読取り部４を備えている。静止原稿読取り部２は、透明ガラス製の第１コンタクトガラス２１上にユーザが手動で載置したブック原稿や貼り原稿等の自動給送対象外の原稿（静止状態の原稿）の画像を読取るための読取り領域である。また、第１走行原稿読取り部３及び第２走行原稿読取り部４は、透明ガラス製の第２コンタクトガラス３１上に自動的に給送される走行状態の原稿の画像を読取るための読取り領域である。第１走行原稿読取り部３において原稿の表面（図１において下側に向く面）の画像が、第２走行原稿読取り部４において原稿の裏面（図１において上側に向く面）の画像がそれぞれ読取られるようになっている。これら読取り部２，３，４で読取られた原稿の画像データは、それぞれ後述する第１画像処理部５６と第２画像処理部５７へ送られ（図２参照）、ここで各種処理が施された後、画像処理中継部５４を介して画像メモリ５５に記憶される。これら画像データの送受信動作に関しては後述する。
【００１７】
以下、図１〜図３を用いて本スキャナ装置１の構成を詳細に説明する。尚、図３はスキャナ装置１の要部を示す断面図である。
【００１８】
図１〜図３に示すように、スキャナ装置１は、本体部１１と開放部１２とにより構成されており、片面読取りモード及び両面読取りモードの２モードの原稿読取り動作が可能となっている。本体部１１の上面には、図１及び図３の右側から順に、第１コンタクトガラス２１、原稿基準板１３、第２コンタクトガラス３１が配設されている。
【００１９】
上記原稿基準板１３は、原稿のサイズ及び載置方向を示す図示しない指標が印刷されており、この指標に従って、第１コンタクトガラス２１上の静止原稿読取り部に原稿を容易に載置できるようになっている。また、原稿基準板１３の第１コンタクトガラス２１に対向する側には、後述する第１読取り走査系６の第１光電変換素子６８のシェーディング（白レベルの決定）を実施する際に使用する第１基準白板１４が設けられている。
【００２０】
この本体部１１の内部には、原稿に光を照射するための第１光源６１と第１ミラー６２とを一体的に支持する第１走査ユニット６３、第２ミラー６４及び第３ミラー６５を一体的に支持する第２走査ユニット６６、第１結像レンズ６７及び第１光電変換素子（ＣＣＤ）６８からなる第１読取り走査系６が配置されている。第１走査ユニット６３及び第２走査ユニット６６は、図示しないワイヤが巻き掛けられており、ステッピングモータである第１読取り走査系駆動モータ６９（図２参照）により駆動される。各走査ユニット６３，６６は、第１読取り走査系駆動モータ６９が正転した際に、図１中の右方向に移動し、第１読取り走査系駆動モータ６９が逆転した際に、図１中の左方向に移動する。具体的には、第１走査ユニット６３に対して第２走査ユニット６６が１／２の速度で第１走査ユニット６３と同方向に移動するようになっている。
【００２１】
原稿読取り手段としての第１読取り走査系６は、静止原稿読取り時及び走行原稿読取り時の双方の際に使用される。静止原稿読取り時に、第１読取り走査系６の第１走査ユニット６３は、図１中のpos1の位置からpos2の位置まで移動して第１コンタクトガラス２１上に静止した原稿に対する読取り走査を行う。走行原稿読取り時には、この第１読取り走査系６の第１走査ユニット６３は、図１中のpos1の位置に停止している。
【００２２】
そして、第１走査ユニット６３は、読取り走査を行っている間、第１光源６１から原稿に向かって（本発明でいう照射領域に向かって）光を照射し、原稿からの反射光を、第１ミラー６２を介して、第２走査ユニット６６の第２ミラー６４に向かって反射する。第２走査ユニット６６は、第１ミラー６２からの反射光を、第２ミラー６４及び第３ミラー６５を介して、第１結像レンズ６７に向かって反射する。第１結像レンズ６７は、第３ミラー６５からの反射光を、第１光電変換素子６８の受光面に結像する。第１光電変換素子６８は、受光した光の強度に応じて、電気的画像信号に変換して出力する。
【００２３】
また、図２に示すように、本スキャナ装置１の制御系には、システムコントローラ５１、通信制御部５２、本装置１の操作部１Ａからの信号を受ける読取制御部５３、上記画像処理中継部５４、画像メモリ５５、第１画像処理部５６及び第２画像処理部５７が備えられている。
【００２４】
上記システムコントローラ５１は、通信制御部５２を介して、読取制御部５３を制御し、さらにシステムバスＢを介して画像処理中継部５４及び画像メモリ５５を制御することにより原稿読取り一連の動作が適切に行われるように画像読取りシステム全体を制御するようになっている。
【００２５】
また、図２に示すように、第１光源基板７１は、読取制御部５３の信号に基づいて、上記第１読取り走査系６の第１光源６１を点灯または消灯する。
【００２６】
第１読取り走査系駆動モータ制御基板７２は、読取制御部５３の信号に基づいて、上記第１読取り走査系駆動モータ６９を制御して、第１走査ユニット６３及び第２走査ユニット６６を、図１中右方向または左方向に移動させる。
【００２７】
第１読取り走査系位置センサ群７３は、第１走査ユニット６３が第１走行原稿読取り部３に対向する位置及び第１基準白板１４が読取れる位置の近傍に配置されており、第１走査ユニット６３がこの位置に来たときに、読取制御部５３に規準位置信号を出力する。
【００２８】
読取制御部５３は、第１読取り走査系位置センサ群７３の規準位置信号と第１読取り走査系駆動モータ６９のステップ数を基に、第１走査ユニット６３の位置を算出して、第１読取り走査系駆動モータ６９を正逆転制御して、第１走査ユニット６３及び第２走査ユニット６６を往復移動させる。
【００２９】
次いで、図１に示すように、スキャナ装置１の開放部１２は、本スキャナ装置１の奥側（図１の右側）に本体部１１との間に設けられたヒンジ（図示せず）を回動支点として上方に回動して、スキャナ装置１の手前側（図１の左側）が開放されるように構成されている。スキャナ装置１の開放部１２の下側には、開放部１２の閉時に第１コンタクトガラス２１と接触するように、第１コンタクトガラス２１側が白色に形成されたＯＣマット１５が設けられている。静止原稿読取り部２に載置されたシート状原稿が、このＯＣマット１５により第１コンタクトガラス２１に押し付けられて密着するよう構成されている。
【００３０】
図１及び図３に示すように、上記開放部１２の内部には、原稿をセットする原稿セットトレイ１６から第１走行原稿読取り部３及び第２走行原稿読取り部４に原稿を搬送して排出トレイ１７に原稿を排出するための自動原稿送り装置９が配置されている。また、開放部１２内の左側部分には、原稿読取り手段としての第２読取り走査系８が備えられており、第２走行原稿読取り部４を走行する原稿を読取り走査可能となっている。
【００３１】
図３に示すように、自動原稿送り装置９は、給紙部９１と分離給送手段９２との間の搬入路pas1、分離給送手段９２と整合ローラ対９３との間の搬入路pas2、整合ローラ対９３と排紙ローラ対９４との間に設けられ上記第１走行原稿読取り部３と第２走行原稿読取り部４とが配置された原稿読取り搬送路pas3を備えている。これら搬送路pas1〜pas3により原稿搬送路が構成されている。以下、自動原稿送り装置９の各部の構成及び動作を説明する。
【００３２】
給紙部９１は原稿押さえ９１ａと給紙ローラ９１ｂとで構成されており、原稿セットトレイ１６上にセットされた原稿を分離給送手段９２まで搬送する。
【００３３】
分離給送手段９２は、分離給送ローラ９２ａと分離パッド９２ｂとで構成されており、給紙部９１から送られた原稿を分離給送手段９２に呼び込んで１枚ずつ分離して整合ローラ対９３に向かって搬送する。また、分離給送手段９２は、分離給送ローラ９２ａの駆動軸に電磁クラッチ（図示しない）を備えており、自動原稿送り装置９の駆動モータ（図示しない）からの駆動力を伝達する駆動系に対して接続及び非接続を切換可能となっている。
【００３４】
整合ローラ対９３は、その駆動軸に電磁クラッチ（図示しない）を備えており、自動原稿送り装置９の駆動モータからの駆動力を伝達する駆動系に対して接続及び非接続を切換可能となっている。この整合ローラ対９３は、分離給送手段９２が給送した原稿の先端が原稿検知センサｓ２に接触し読取制御部５３に信号を出力するまでは停止しており、読取制御部５３に信号を出力した後に下流側に向かって搬送を開始するようになっている。
【００３５】
第２コンタクトガラス３１は、整合ローラ対９３との間で原稿読取り搬送路pas3を形成しており、第２コンタクトガラス３１の下面に配置された第２基準白板８１に対向した位置に、第２走行原稿読取り部４が配置されている。
【００３６】
排出ローラ対９４は、スキャナ装置１の開放部側面に一体的且つ回転可能に設けられており、原稿読取り搬送路pas3を通った原稿を、排出トレイ１７に排出する。
【００３７】
また、位置検出手段としての原稿検知センサｓ１、ｓ２、ｓ３が、給紙部９１の搬送方向直前、整合ローラ対９３の搬送方向直前及び排出ローラ対９４の搬送方向直下流側にそれぞれ配置されている。図２に示すように、これらの原稿検知センサ群ｓ１，ｓ２，ｓ３は、原稿の位置を、読取制御部５３に伝えて原稿の搬送や光源のオンオフを制御するのに使用される。
【００３８】
次に、上述の自動原稿送り装置９の各部の動作を図２のブロック図を用いて説明する。
【００３９】
図２に示すように、自動原稿送り装置９の駆動モータ制御基板９５は、読取制御部５３の信号により、ステッピングモータである駆動モータ９６をオンオフ制御して、自動原稿送り装置９の駆動系を駆動し、上述の給紙ローラ９１ｂ、分離給送手段９２、整合ローラ対９３、排紙ローラ対９４及びその他の搬送ローラに駆動力を伝えることができるように構成されている。また、駆動モータ９６は、駆動モータ制御基板９５からのパルスレイトにより回転速度が可変となっている。
【００４０】
原稿検知センサ群ｓ１、ｓ２、ｓ３は、原稿がセンサの位置に到達した時に原稿の検知信号を読取制御部５３に伝える。これに対して、読取制御部５３は、原稿検知センサ群ｓ１，ｓ２，ｓ３からの原稿の検知信号と、タイマーとにより原稿が適切なタイミングで搬送されているか否かを算出して、搬送不良の場合には、ジャム等の発生の信号を、システムバスＢを介してシステムコントローラ５１に伝える。
【００４１】
電磁クラッチ群９７は、読取制御部５３からの信号によりオンオフして、自動原稿送り装置９のそれぞれの駆動系に対して、接続または非接続に切り換えて、駆動系を停止させたり、回転させたりする。
【００４２】
次に、第２読取り走査系８について説明する。図３に示すように、第２読取り走査系８は、スキャナ装置１の開放部１２の内部に配設されており、第２走行原稿読取り部４を走行する原稿を走行状態で読取るための読取り走査系である。この第２読取り走査系８は、第２走行原稿読取り部４を走行する原稿の上面を照射するための第２光源（ＬＥＤ）８２と、受光した光の強度に応じて、電気的画像信号に変換して出力する第２光電変換素子（ＣＩＳ）８３と、この第２光電変換素子８３から出力される電気的画像信号に対してシェーディングする（白部レベルの決定）をする際に、白部のレベルとして読込むための第２基準白板８１とから構成されている。尚、第２基準白板８１は、スキャナ装置１の本体部１１に設けられている。また、第２光源８２が原稿に向かって光を照射する領域である第２走行原稿読取り部４は、上記第１光源６１が原稿に向かって光を照射する領域である第１走行原稿読取り部３よりも原稿搬送方向下流側に設定されている。このように、各光源６１，８２からの光の照射領域を原稿搬送方向にずらすことで、各読取り走査系６，８で取得する原稿画像データとして、対向しない面の画像データが入り込む所謂裏写りを防止できるようにしている。
【００４３】
また、図２に示すように、第２光源基板７４は、読取制御部５３の信号に基づいて、第２読取り走査系８の第２光源８２を点灯または消灯する。
【００４４】
読取制御部５３は、両面読取りモード時に、第２光電変換素子８３から出力される電気的画像信号に対してシェーディングを行う。
【００４５】
次に、片面読取りモード時及び両面読取りモード時の読取り走査により得られた電気的画像信号の処理に関して、図１〜図３を用いて説明する。
【００４６】
図２に示すように、第１読取り走査系６の第１光電変換素子６８及び第２読取り走査系８の第２光電変換素子８３による読取り走査により得られた電気的画像信号（以後、画像信号と呼称する）は、画像処理部５６，５７に送られて、所定の画像処理を施された後に、画像処理中継部５４に送られ、さらに所定の画像処理を施された後、システムバスＢを介して１ページ毎に区別されて画像メモリ５５に記億される。画像処理部５６，５７は、アナログ信号処理部５６ａ，５７ａ、Ａ／Ｄ変換部５６ｂ，５７ｂ、シェーディング補正部５６ｃ，５７ｃ、フィルタ処理部５６ｄ，５７ｄ、濃度変換部５６ｅ，５７ｅで構成されている。これら画像処理部５６，５７の各要素は、読取制御部５３の制御下で動作する。
【００４７】
アナログ信号処理部５６ａ，５７ａは、それぞれ、第１光電変換素子６８から入力される画像信号及び第２光電変換素子８３から入力される画像信号に、レベル変換処理、サンプルホールド処理及び信号増幅処理を施して、Ａ／Ｄ変換部５６ｂ，５７ｂに出力する。第１読取り走査系６と第２読取り走査系８とでは、光源光量、光電変換効率及び出力信号レベル等が異なるため、第１光電変換素子用と第２光電変換素子用にそれぞれ専用のアナログ信号処理部５６ａ，５７ａが設けられている。
【００４８】
Ａ／Ｄ変換部５６ｂ，５７ｂは、アナログ信号処理部５６ａ，５７ａから入力されるアナログの画像信号をディジタル変換して、量子化した画像信号をシェーディング補正部５６ｃ，５７ｃに出力する。
【００４９】
シェーディング補正部５６ｃ，５７ｃは、Ａ／Ｄ変換部５６ｂ，５７ｂから入力される量子化された画像信号に対して黒再生及び白再生を施して、フィルタ処理部５６ｄ，５７ｄに出力する。なお、黒再生とは、第１光電変換素子６８あるいは第２光電変換素子８３の暗示出力をサンプリングして記億し、読取りデータである原稿読取り時の第１光電変換素子６８あるいは第２光電変換素子８３の出力する画像信号から減算することにより、暗示出力の影響を削除することである。また、白再生とは、反射率の均一な基準白板１４，８１を読取ったときの画素毎の画像信号に基づいて原稿読取り時の画像信号を各画素に正規化し、光量むらや光学部品の影響及び第１光電変換素子６８や第２光電変換素子８３の画素感度のバラツキを補正することである。
【００５０】
フィルタ処理部５６ｄ，５７ｄは、シェーデイング補正部５６ｃ，５７ｃから入力される画像信号に、読取制御部５３から設定されるフィルタ特性を決定する係数に基づいて所定のフィルタ処理、具体的には、空間フィルタリング処理を施すことにより、画像の高周波成分を強調して、画像の「ぼやけ」の修復を行う。すなわち、第１光電変換素子６８及び第２光電変換素子８３の出力する画像信号には、レンズやミラー等の光学部品、第１光電変換素子６８や第２光電変換素子８３の受光面のアパーチャ開口度、第１光電変換素子６８や第２光電変換素子８３の転送効率や残像、物理的な走査による積分効果及び操作むら等に起因するＭＴＦ（Modu1ation Transfer Function）の劣化があり、フィルタ処理部５６ｄ，５７ｄによりこのＭＴＦの劣化を補償している。このように、ＭＴＦは、第１光電変換素子６８と第２光電変換素子８３によりその劣化具合も大きく異なるため、適切なフィルタ処理を行っている。また、ＭＴＦの劣化は、高周波域ほど顕著であるので、フィルタ処理部５６ｄ，５７ｄは、高周波域の画像信号に対して、強調処理を施すことにより、「ぼやけ」を修復して、画像品質を向上させている。
【００５１】
そこで、フィルタ処理部５６ｄ，５７ｄは、入力画像信号が第１光電変換素子６８からの画像信号であるか、第２光電変換素子８３からの画像信号であるかによりフィルタ処理が異なる。
【００５２】
濃度変換部５６ｅ，５７ｅ（濃度変換手段、２値化手段）は、フィルタ処理部５６ｄ，５７ｄでフィルタ処理された画像信号に濃度変換を行うためのものであり、例えば、画像信号をファクシミリ通信する場合や印字条件が２値化指定された場合等に画像信号を２値化処理し、また、写真画像等のように印字条件が多値であれば、所定の濃度特性により濃度変換を行って、画質を向上させている。濃度変換部５６ｅ，５７ｅは、ＲＡＭ制御部（図示せず）及びＲＡＭ等（図示せず）を備え、ＲＡＭにセットされたデータ変換用のルックアップテーブルを入力画像信号のアドレスとして読出すことにより、データ変換を行って、濃度変換処理を行う。濃度変換処理が完了した画像信号は、画像メモリに記億される。
【００５３】
以上が画像処理部５６，５７による第１光電変換素子６８及び第２光電変換素子８３で得られた画像信号の処理動作である。
【００５４】
次に、両面読取りモード時における、第１読取り走査系６及び第２読取り走査８の動作、自動原稿送り装置９の動作、第１光源６１及び第２光源８２の動作に関して、図１〜図４を用いて以下に説明する。
【００５５】
図１に示すように、両面読取りモード時には、第１読取り走査系６の第１走査ユニット６３は、図１中のpos1の位置に移動して停止し、停止した状態で第１走行原稿読取り部３を走行する原稿のコンタクトガラス側の面（図中の下面）を第１光源６１で照射して読取り走査する。また、第２読取り走査系８は第２走行原稿読取り部４を走行する原稿の図中の上面を第２光源８２で照射して読取り走査する。
【００５６】
図４は、本発明の実施形態を示す両面原稿読取り処理のフローチャートである。この図で示すように両面原稿読取り処理が開始されると、先ず、ステップＳＴ１において、タイマＴ１〜Ｔ７がセットされ、その後、ステップＳＴ２において、分離給送ローラ９２ａと給紙ローラ９１ｂとが動作を開始し、給紙動作を行う。そして原稿検知センサｓ２が原稿を検知（ステップＳＴ３でＹＥＳに判定）した後、タイマＴ１〜Ｔ５がスタートする（ステップＳＴ４）。ここで、Ｔ１は原稿検知センサｓ２の原稿検知（ステップＳＴ５でＹＥＳ判定）から整合（整合ローラ対９３で原稿を一旦停止させて斜め送り状態を解消する動作）が完了するまでの時間であり、このタイマＴ１がタイムアップすると分離給送ローラ９２ａと給紙ローラ９１ｂとを停止し、給紙動作を終了して（１）に戻る（ステップＳＴ６）。Ｔ２は、原稿検知センサｓ２の原稿検知から両光源６１，８２の点灯までに要する時間である。Ｔ３は、原稿検知センサｓ２の原稿検知から整合ローラ対９３の動作開始までの時間である。これらについての詳細は後述する。Ｔ４、Ｔ５は原稿検知センサｓ２の原稿検知時点から、原稿がそれぞれ第１走行原稿読取り部３と第２走行原稿読取り部４とに到達するまでの時間であり、到達後それぞれ第１読取り（第１走行原稿読取り部３における原稿の表面画像の読取り）と第２読取り（第２走行原稿読取り部４における原稿の裏面画像の読取り）とを開始して（１）に戻る（ステップＳＴ９，１０）。
【００５７】
また、原稿後端が原稿検知センサｓ２を通過し、原稿検知センサｓ２がOFFになると、タイマＴ６、Ｔ７がスタートする（ステップＳＴ１１）。タイマＴ６は原稿の後端が原稿検知センサｓ２を通過してから整合ローラ対９３を通過するまでの時間で、通過後に整合ローラ対９３を停止させる（ステップＳＴ１２，１３）。また、Ｔ７は原稿の後端が原稿検知センサｓ２を通過してから第２走行原稿読取り部４を通過するまでの時間であり、通過後に読取りを終了する（ステップＳＴ１４，１５，１６）。またＴ６がタイムアップした後、原稿検知センサｓ１がオンとなって次原稿の存在が確認された場合、次原稿の給紙動作を開始し、原稿検知センサｓ２が原稿を検知したのち、タイマＴ１〜Ｔ５がスタートする（ステップＳＴ１９〜２１）。その後、Ｔ７がタイムアップすると読取りを終了して（１）に戻る（ステップＳＴ２２，２３）。また、原稿検知センサｓ１がオンされず、次原稿が無しと判断されると、Ｔ７のタイムアップ後、読取り終了と両光源６１，８２のOFFを行い（ステップＳＴ１７）、原稿の排出が完了すると両面原稿読取り処理を終了する（ステップＳＴ１８）。このような動作であるため、上記ステップＳＴ１５〜ステップＳＴ１７において維持手段１８が構成されている。
【００５８】
上記記載では原稿検知センサｓ２が原稿を検知してから時間Ｔ２後に両光源６１，８２が点灯する場合について説明したが、光源６１，８２の点灯タイミングを以下のように設定してもよい。
【００５９】
図５は原稿搬送と走行原稿読取りに関する部分の概略図であり、また図６は第１光源６１及び第２光源８２が点灯してからの時間と光量との関係を示すグラフである。
【００６０】
本スキャナ装置１は、図２に示すように、原稿の走行位置から第１読取り走査系６により画像を読取る領域である第１走行原稿読取り部（照射領域）３までの距離と原稿走行速度とにより、原稿が第１走行原稿読取り部３に到達する時刻を算出し、その算出結果に基づいて第１光源６１の点灯タイミングを設定する点灯手段１９を備えている。
【００６１】
つまり、図５に示すように整合ローラ対９３から第１走行原稿読取り部３の中心Ａまでの原稿搬送距離をＬ、原稿の搬送スピードをＶとし、図６に示すように第１光源６１の光量の安定までの時間をｔ１とした場合、原稿が整合ローラ対９３から第１走行原稿読取り部中心Ａまでの間を搬送される時間はＬ／Ｖである。ここで、点灯手段１９は、ｔ１＜Ｌ／Ｖであるならば、第１光源６１の点灯を、整合ローラ対９３の起動後（Ｌ／Ｖ−ｔ１）時間経過した後に行い、また、ｔ１＞Ｌ／Ｖであるならば、原稿が整合ローラ対９３に到達した後、第１光源６１の起動後（ｔ１−Ｌ／Ｖ）時間経過した後に整合ローラ対９３を起動させ原稿を搬送するように各部の制御を行うようになっている。
【００６２】
このとき、第２光源８２はＬＥＤで構成され、光量が安定するまでの時間が図中ｔ２と十分に短いため、第２光源８２の点灯タイミングは、応答が遅い第１光源６１と同じにする。また、第１走行原稿読取り部３の中心Ａに原稿が至る間に第２光源８２を点灯するようにしてもよい。
【００６３】
尚、第２光源８２の点灯タイミングに対しても、上述した第１光源６１の点灯タイミングと同様に設定するようにしてもよい。
【００６４】
−実施形態の効果−
以上説明したように、本形態では、原稿の後端が原稿検知センサｓ２を通過してから第２走行原稿読取り部４を通過するまでの時間であるタイマＴ７がタイムアップするまで、両読取り走査系６，８の光源６１，８２を所定光量に維持するようにしている。つまり、原稿の表裏面の読取り動作が共に完全に終了するまで、各面に照射される光量が一定に維持されるようにしている。このため、原稿搬送路の両側に配置した読取り走査系６，８の位置を原稿の搬送方向に変位させることによる裏写りの抑制を図りつつ、一方の読取り走査系の光量変化による他方の読取り走査系の読取り濃度の変化を招くことを回避することができ、データ全体に亘って原稿読取りデータの読取り濃度の均一化を図ることができる。
【００６５】
また、本実施形態では、両光源６１，８２の点灯のタイミングと原稿搬送タイミングを計算することにより、光源６１，８２が点灯している時間を短くでき省エネルギ性の向上を図ることもできる。
【００６６】
更に、本実施形態では、例えば装置を小型化した場合に、上述したＬが小さくなっても原稿搬送タイミングと両光源６１，８２の点灯タイミングを変えることで対応可能である。
【００６７】
−その他の実施形態−
上記実施形態では、本発明をスキャナ装置として適用した場合について説明した。本発明はこれに限らず、複写機、プリンタ、ファクシミリ装置等の画像形成装置の両面原稿読取りユニットに適用することも可能である。
【００６８】
また、上記実施形態では、第１走行原稿読取り部３を第２走行原稿読取り部４よりも搬送方向上流側に配設するようにしたが、逆に、第２走行原稿読取り部４を第１走行原稿読取り部３よりも搬送方向上流側に配設するようにしてもよい。
【図面の簡単な説明】
【００６９】
【図１】実施形態に係るスキャナ装置の内部構成を示す概略図である。
【図２】スキャナ装置の制御ブロック図である。
【図３】スキャナ装置の要部を示す断面図である。
【図４】両面原稿読取り処理動作を示すフローチャート図である。
【図５】各走行原稿読取り部の概略を示す図である。
【図６】各光源の点灯開始時の光量変化を示す図である。
【符号の説明】
【００７０】
１    スキャナ装置（両面原稿読取り装置）
３    第１走行原稿読取り部（第１読取り部）
４    第２走行原稿読取り部（第２読取り部）
６１  第１光源
８２  第２光源
【図１】
0003654530.tif 000002
【図２】
0003654530.tif 000003
【図３】
0003654530.tif 000004
【図４】
0003654530.tif 000005
【図５】
0003654530.tif 000006
【図６】
0003654530.tif 000007